(57)【特許請求の範囲】
【請求項１】
燃料ガスと一次空気との混合ガスが供給される略円環形状の混合室を有するバーナボディと、前記混合室の上部開口を覆うように前記バーナボディに載置されるバーナヘッドとを備え、前記バーナヘッドの下面または前記バーナボディの上面には複数の溝が中心から放射状に形成されており、前記バーナヘッドを前記バーナボディに載置することで、前記混合室と連通して前記バーナヘッドまたは前記バーナボディの外周面に略水平方向へ向けて開口する複数の炎口を形成し、前記炎口から噴出する前記混合ガスに点火すると該炎口の外側に炎が形成されるコンロバーナにおいて、
前記複数の炎口は、
上下方向の開口位置および開口面積について等しく、所定の間隔で形成されていると共に、
隣り合う炎口同士で炎が形成される位置が、前記バーナヘッドの径方向および上下方向の少なくとも一方で交互に異なっている
ことを特徴とするコンロバーナ。
【請求項２】
請求項１に記載のコンロバーナにおいて、
前記複数の炎口の中で隣り合う炎口同士は、前記混合ガスを噴出する向きが上下方向に異なっている
ことを特徴とするコンロバーナ。
【請求項３】
請求項２に記載のコンロバーナにおいて、
前記バーナボディの上面と前記バーナヘッドの下面の前記溝とで囲まれた連通路の天井面は、前記混合室から前記炎口に向かう傾斜角度が、前記隣り合う炎口同士で異なっている
ことを特徴とするコンロバーナ。
【請求項４】
請求項１に記載のコンロバーナにおいて、
前記バーナボディの上面の前記溝と前記バーナヘッドの下面とで囲まれた連通路の底面は、前記混合室から前記炎口に向かう傾斜角度が、前記隣り合う炎口同士で異なっている
ことを特徴とするコンロバーナ。
【請求項５】
請求項１ないし請求項４の何れか一項に記載のコンロバーナにおいて、
前記複数の炎口の中で隣り合う炎口同士は、開口する位置が前記バーナヘッドの径方向に異なっている
ことを特徴とするコンロバーナ。
【発明の詳細な説明】
【技術分野】
【０００１】
本発明は、バーナボディにバーナヘッドが載置された状態で、外周面に複数の炎口が開口したコンロバーナに関する。
【背景技術】
【０００２】
コンロバーナは、燃料ガスと一次空気との混合ガスが供給される略円環形状の混合室を有するバーナボディと、混合室の上部開口を覆うようにバーナボディに載置されるバーナヘッドとを備えている。バーナヘッドの下面には、バーナヘッドの中心に対して放射状に複数の炎口溝が形成されており、バーナボディにバーナヘッドを載置すると、バーナボディの上面と複数の炎口溝とでバーナヘッドの外周面に開口する複数の炎口が形成される。混合室に供給された混合ガスは炎口から噴出し、点火プラグで点火すると炎口の外側に炎が形成されて、コンロバーナの上方に置かれた鍋などの調理容器を加熱する。
【０００３】
こうしたコンロバーナでは、外径を大きくせずに最大火力（混合ガスの噴出量）の増大を図ろうとして、混合ガスの噴出速度が過度に大きくなると、炎が炎口からコンロバーナの径方向に遠く離れて燃焼が不安定になるとともに、調理容器の加熱効率が悪くなってしまう。そこで、混合ガスの噴出速度を適度に抑えるために、炎口を縦方向に長くしたり、炎口の数を増やしたりすることで炎口の総開口面積を拡大することが提案されている（例えば、特許文献１）。また、開口する位置および開口する向きを上下方向に異ならせて複数段の炎口を予めバーナヘッドに穿貫しておくことが提案されている（例えば、特許文献２）。
【先行技術文献】
【特許文献】
【０００４】
【特許文献１】特開２０００−１７１００９号公報
【特許文献２】特開平８−１５２１１３号公報
【発明の概要】
【発明が解決しようとする課題】
【０００５】
しかし、特許文献１のコンロバーナでは、炎口が縦方向に長くなることで、炎口の上下から二次空気を得るだけでは不足する傾向にあり、しかも炎口の数を増やして炎口と炎口との間隔が狭くなることで、隣り合う炎が干渉して横（周方向）から二次空気を得にくくなるので、不完全燃焼が生じ易いという問題があった。また、特許文献２のコンロバーナでは、炎口を複数段に形成するためにコンロバーナの高さを高くする必要があることから、高さ寸法に制限があると適用できないとともに、上向きに形成された炎口に上方の調理容器からの煮こぼれ汁が入り易いことから、炎口が詰まる虞があるという問題があった。
【０００６】
この発明は、従来の技術が有する上述した課題に対応してなされたものであり、コンロバーナの外径を大きくしたり高さを高くしたりすることなく最大火力を増大するために炎口の数を増やしても、二次空気を確保することができ、しかも調理容器からの煮こぼれ汁が炎口に入ることを抑制することが可能なコンロバーナの提供を目的とする。
【課題を解決するための手段】
【０００７】
上述した課題を解決するために、本発明のコンロバーナは次の構成を採用した。すなわち、
燃料ガスと一次空気との混合ガスが供給される略円環形状の混合室を有するバーナボディと、前記混合室の上部開口を覆うように前記バーナボディに載置されるバーナヘッドとを備え、前記バーナヘッドの下面または前記バーナボディの上面には複数の溝が中心から放射状に形成されており、前記バーナヘッドを前記バーナボディに載置することで、前記混合室と連通して前記バーナヘッドまたは前記バーナボディの外周面に略水平方向へ向けて開口する複数の炎口を形成し、前記炎口から噴出する前記混合ガスに点火すると該炎口の外側に炎が形成されるコンロバーナにおいて、
前記複数の炎口は、
上下方向の開口位置および開口面積について等しく、所定の間隔で形成されていると共に、
隣り合う炎口同士で炎が形成される位置が、前記バーナヘッドの径方向および上下方向の少なくとも一方で交互に異なっている
ことを特徴とする。
【０００８】
このような本発明のコンロバーナでは、炎の位置をバーナヘッドの径方向や上下方向に交互にずらすことで隣り合う炎が干渉しにくく、バーナヘッドの周方向における炎と二次空気との接触面積が増えることから、炎の位置が径方向や上下方向に一様である（重なっている）場合に比べて、周方向から二次空気を得やすくなる。このため、炎口の数を増やして炎口と炎口との間隔が狭くなっても、二次空気を確保して不完全燃焼の発生を抑制することができる。また、複数の炎口は、バーナヘッドをバーナボディに載置することで形成され、上下方向の開口位置や開口面積が何れも同等である。その結果、コンロバーナの外径を大きくしたり高さを高くしたりすることなく、最大火力の増大を図ることが可能となる。さらに、複数の炎口が何れも略水平方向へ向けて開口していることから、上向きに形成された炎口を有する場合に比べて、上方の調理容器からの煮こぼれ汁が炎口に入ることを抑制することができる。
【０００９】
上述した本発明のコンロバーナでは、複数の炎口の中の隣り合う炎口同士で、混合ガスを噴出する向きを上下方向に異ならせてもよい。
【００１０】
このようにすれば、混合ガスの噴出方向が水平方向に近付くほど、バーナヘッドの径方向に長い炎が形成され、混合ガスの噴出方向が上方に向くほど、バーナヘッドの径方向に短く斜め上向きの炎が形成されるので、隣り合う炎の位置に径方向や上下方向の変化を付けることができる。その結果、上述のようにバーナヘッドの周方向から二次空気を確保して不完全燃焼の発生を抑制することが可能となる。
【００１１】
また、上述した本発明のコンロバーナにおけるバーナボディの上面とバーナヘッドの下面の溝とで囲まれた連通路の天井面は、混合室から炎口に向かう傾斜角度を、隣り合う炎口同士で異ならせてもよい。
【００１２】
混合室から流出する混合ガスは、連通路の天井面に沿って流れることから、例えば、天井面を水平にすることで、炎口から水平方向に混合ガスを噴出させ、天井面を混合室から炎口に向けて上方に傾斜させることで、炎口から水平方向に対して斜め上向きに混合ガスを噴出させることが可能である。このように天井面の傾斜角度に応じて混合ガスの噴出方向が変わるので、天井面の傾斜角度を異ならせることによって、隣り合う炎の位置にバーナヘッドの径方向や上下方向の変化を付けることができる。
【００１３】
また、前述した本発明のコンロバーナにおけるバーナボディの上面の溝とバーナヘッドの下面とで囲まれた連通路の底面は、混合室から炎口に向かう傾斜角度を、隣り合う炎口同士で異ならせてもよい。
【００１４】
混合ガスが通過する連通路の底面の傾斜角度を変えることによって、炎口の開口面積が同等であっても、連通路を混合室側から炎口側に向けて狭くして混合ガスの噴出速度を速くしたり、連通路を混合室側から炎口側に向けて広くして混合ガスの噴出速度を遅くしたりすることができる。そして、隣り合う炎口で、混合ガスの噴出速度を異ならせれば、炎が形成される位置にバーナヘッドの径方向や上下方向の変化を付けることができる。
【００１５】
また、こうした本発明のコンロバーナでは、複数の炎口の中の隣り合う炎口同士で、開口する位置をバーナヘッドの径方向に異ならせてもよい。
【００１６】
このようにすれば、炎口の開口位置に応じて炎口の外側に形成される炎の位置も変わるので、隣り合う炎の位置をバーナヘッドの径方向にずらすことができる。その結果、バーナヘッドの周方向から二次空気を確保して不完全燃焼の発生を抑制することが可能となる。
【図面の簡単な説明】
【００１７】
【図１】ガスコンロ１から突出した本実施例のコンロバーナ１０の上部外観を示す斜視図である。
【図２】本実施例のコンロバーナ１０の内部構造を示した断面図である。
【図３】本実施例の複数の炎口溝１３ｄが形成されたバーナヘッド１３の外周壁１３ａの下面を拡大して示した説明図である。
【図４】本実施例のバーナヘッド１３で隣り合う主炎口１４用の炎口溝１３ｄの形状を比較した拡大断面図である。
【図５】本実施例のバーナヘッド１３の周囲に形成される炎を示した斜視図である。
【図６】第１変形例のバーナヘッド１３で隣り合う主炎口１４用の炎口溝１３ｄの形状を比較した拡大断面図である。
【図７】第２変形例のバーナヘッド１３の外周壁１３ａの下面を拡大して示した説明図である。
【図８】第２変形例のバーナヘッド１３の周囲に形成される炎を示した斜視図である。
【発明を実施するための形態】
【００１８】
図１は、ガスコンロ１から突出した本実施例のコンロバーナ１０の上部外観を示す斜視図である。ガスコンロ１は、図示しないコンロ本体の上面が天板２で覆われており、その天板２に形成された貫通孔３から上部を突出させてコンロバーナ１０がコンロ本体内に設置されている。また、天板２の上面には、コンロバーナ１０の上方に鍋などの調理容器を置くための五徳４が設置されている。
【００１９】
コンロバーナ１０は、土台となるバーナボディ１１と、バーナボディ１１の上に載置されたバーナヘッド１３と、バーナヘッド１３の上方に取り付けられたバーナカバー１６と、バーナカバー１６の中央から突出した状態で設けられた温度センサ１７などを備えている。
【００２０】
バーナヘッド１３の外周面には、縦長の主炎口１４が所定の間隔で複数開口している。この主炎口１４から燃料ガスと一次空気との混合ガスが噴出し、図示しない点火プラグで混合ガスに点火すると、主炎口１４の外側に炎が形成されて混合ガスの燃焼が開始される。また、主炎口１４と主炎口１４との間には、主炎口１４よりも縦方向に短い保炎口１５が開口している。この保炎口１５からも混合ガスが噴出し、保炎口１５の外側に形成される小さな炎によって、主炎口１４の外側に形成される大きな炎の火移り性や保炎性が確保されている。
【００２１】
バーナカバー１６は、五徳４上に置かれた調理容器から煮こぼれた場合に、その煮こぼれ汁がバーナヘッド１３にかかるのを抑制する。また、温度センサ１７は、上端面が調理容器の下面に当接して、調理容器の温度を計測する。
【００２２】
図２は、本実施例のコンロバーナ１０の内部構造を示した断面図である。本実施例のバーナボディ１１は、ステンレス鋼薄板をプレス加工して成形された２枚の板金（外面板１１ａおよび内面板１１ｂ）を向い合せて気密に接合することで、略円環形状の混合室１１ｃが内部に形成されている。また、外面板１１ａの上端側は、内向きに折り曲げて上面が形成されており、この上面にバーナヘッド１３が載置される。
【００２３】
さらに、バーナボディ１１からは、混合室１１ｃと連通する混合管１２が延設されている。混合管１２の開口端１２ａに向けて燃料ガスが噴射されると、一次空気を吸い込みながら混合管１２に流入する。そして、混合管１２を通過する燃料ガスと一次空気とが混合されて、混合室１１ｃに混合ガスが供給される。
【００２４】
バーナヘッド１３は、アルミニウム合金や真鍮などの金属材料を用いて、鍛造あるいはダイカストなどによって略円環形状に形成されている。バーナヘッド１３の外縁部分からは下方に向けて略円筒形状の外周壁１３ａが延設されており、内縁部分からは外周壁１３ａよりも長い略円筒形状の嵌合筒１３ｂが下方に向けて延設されている。バーナヘッド１３をバーナボディ１１に載置する際には、嵌合筒１３ｂをバーナボディ１１の内面板１１ｂに嵌め合わせた状態で、外周壁１３ａの下面をバーナボディ１１の上面に当接させる。
【００２５】
バーナヘッド１３の嵌合筒１３ｂの内側は、混合ガスの燃焼に必要な二次空気をバーナヘッド１３の上方に供給する供給通路１３ｃとなっており、この供給通路１３ｃには、上端に温度センサ１７が取り付けられた支持ポール１８が挿通されている。バーナヘッド１３の上方には、略円環形状のバーナカバー１６が取付金具（図示省略）で固定されており、バーナカバー１６の中央開口１６ａから温度センサ１７の上部が突出している。温度センサ１７は、図示しないコイルバネで上方に付勢されており、五徳４上に置かれた調理容器の下面に上端が当接する。
【００２６】
また、バーナヘッド１３の外周壁１３ａの下面（バーナボディ１１に載置される面）には、複数の溝（炎口溝）１３ｄが径方向に貫通して形成されており、バーナヘッド１３をバーナボディ１１に載置すると、複数の炎口溝１３ｄとバーナボディ１１の上面とによって、混合室１１ｃに連通する複数の炎口（主炎口１４および保炎口１５）が形成される。
【００２７】
図３は、本実施例の複数の炎口溝１３ｄが形成されたバーナヘッド１３の外周壁１３ａの下面を拡大して示した説明図である。図では、外周壁１３ａの下面にハッチングを付して表している。複数の炎口溝１３ｄは、バーナヘッド１３の中心に対して放射状に形成されており、主炎口１４用の炎口溝１３ｄと保炎口１５用の炎口溝１３ｄとが交互に形成されている。尚、本実施例では、主炎口１４が本発明の「炎口」に相当しており、主炎口１４用の炎口溝１３ｄが本発明の「溝」に相当している。
【００２８】
前述したように主炎口１４に比べて保炎口１５は縦方向に短くなっており（図１参照）、このことと対応して、保炎口１５用の炎口溝１３ｄは、主炎口１４用の炎口溝１３ｄよりも浅く（図３では奥行方向に短く）形成されている。また、本実施例の複数の主炎口１４は、何れも略水平方向へ向けて開口しており、上下方向の開口位置や開口面積が全て同じに設定されているため、外観上は同等である（図１参照）。ただし、主炎口１４用の複数の炎口溝１３ｄは一様ではなく、隣り合う主炎口１４用の炎口溝１３ｄ同士で形状が異なっている。
【００２９】
図４は、本実施例のバーナヘッド１３で隣り合う主炎口１４用の炎口溝１３ｄの形状を比較した拡大断面図である。図４（ａ）には、図３中のＡ−Ａの位置で切断した断面図が示されており、図４（ｂ）には、図３中のＢ−Ｂの位置で切断した断面図が示されている。まず、図４（ａ）に示した主炎口１４用の炎口溝１３ｄでは、溝上面（バーナボディ１１の上面と炎口溝１３ｄとで囲まれた連通路の天井面）が略水平に形成されている。混合室１１ｃから流出する混合ガスは、炎口溝１３ｄの溝上面に沿って流れることから、図中に二点鎖線の矢印で示すように主炎口１４から混合ガスが略水平方向に噴出する。そのため、主炎口１４の外側には、図中に破線で示したように径方向に長い炎が形成される。
【００３０】
これに対して、図４（ｂ）に示した主炎口１４用の炎口溝１３ｄでは、溝上面がバーナヘッド１３の内側（混合室１１ｃ側）から外側（主炎口１４側）に向けて上方に傾斜しており、この溝上面に沿って混合ガスが二点鎖線の矢印で示すように、主炎口１４から水平方向に対して斜め上向きに噴出する。その結果、主炎口１４の外側には、図４（ａ）の炎に比べて上方で径方向に短い炎が形成される。
【００３１】
また、このような炎口溝１３ｄの形状の違いは、主炎口１４から混合ガスが噴出する向き（角度）だけでなく、混合ガスの噴出速度にも影響する。本実施例のコンロバーナ１０では、バーナボディ１１の上面が内側から外側に向けて上方に傾斜しており、溝上面が略水平な図４（ａ）の炎口溝１３ｄでは、バーナボディ１１の上面の傾斜との関係で、混合ガスが通過する連通路が内側（混合室１１ｃ側）から外側（主炎口１４側）に向けて狭くなっている。一方、図４（ｂ）の炎口溝１３ｄでは、溝上面の傾斜がバーナボディ１１の上面の傾斜よりも急であることから、連通路が内側から外側に向けて広くなっている。このため、主炎口１４の開口面積が同じであっても、混合ガスの噴出速度は、図４（ａ）の主炎口１４からよりも図４（ｂ）の主炎口１４からの方が遅くなる。こうした混合ガスの噴出速度の違いからも、図４（ａ）の炎と図４（ｂ）の炎とを比較すると、混合ガスの噴出速度が遅い図４（ｂ）の方が、主炎口１４から近い位置に上向きの炎が形成される傾向にある。
【００３２】
図５は、本実施例のバーナヘッド１３の周囲に形成される炎を示した斜視図である。尚、図示が煩雑になるのを避けるため、バーナヘッド１３の外周面に開口する複数の主炎口１４のうち一部についてのみ炎を示している。前述したように本実施例のバーナヘッド１３では、隣り合う主炎口１４用の炎口溝１３ｄ同士で溝上面の傾斜角度を異ならせることにより、バーナヘッド１３の径方向に長く延びた炎と、主炎口１４の近くで斜め上方に向いた炎とが交互に形成される。
【００３３】
このように隣り合う主炎口１４で、炎が形成される位置をバーナヘッド１３の径方向や上下方向に異ならせれば、バーナヘッド１３の周方向における炎と二次空気との接触面積が増加することから、主炎口１４に対して炎が形成される位置が径方向および上下方向に一様である（重なっている）場合に比べて、バーナヘッド１３の周方向から二次空気を得やすくなる。このため、主炎口１４の数を増やして主炎口１４と主炎口１４との間隔が狭くなっても、二次空気を確保して不完全燃焼の発生を抑制することができる。また、本実施例の複数の主炎口１４は、バーナヘッド１３をバーナボディ１１に載置することで形成され、上下方向の開口位置が何れも同等である。その結果、コンロバーナ１０の外径を大きくしたり、天板２から突出する高さを高くしたりすることなく、最大火力（混合ガスの噴出量）の増大を図ることが可能となる。さらに、本実施例のコンロバーナ１０では、複数の主炎口１４が何れも略水位方向へ向けて開口していることから、斜め上向きの主炎口１４が設けられている場合に比べて、上方の調理容器からの煮こぼれ汁が主炎口１４に入ることを抑制することができる。
【００３４】
上述した本実施例のコンロバーナ１０には、次のような変形例も存在する。以下では、上述の実施例とは異なる点を中心に変形例について説明する。尚、変形例の説明では、上述の実施例と同様の構成については同じ符号を付して説明を省略する。
【００３５】
前述した実施例では、炎口溝１３ｄの溝上面の傾斜角度を異ならせることによって、主炎口１４から混合ガスが噴出する向き（噴出角度）を異ならせていた。しかし、混合ガスの噴出角度を異ならせる態様はこれに限られない。例えば、炎口溝１３ｄの溝上面における主炎口１４側を略水平に形成することとして、その水平部分の径方向の長さを異ならせてもよい。
【００３６】
図６は、第１変形例のバーナヘッド１３で隣り合う主炎口１４用の炎口溝１３ｄの形状を比較した拡大断面図である。図６（ａ）に示した主炎口１４用の炎口溝１３ｄでは、溝上面が略水平に形成されており、その水平部分がバーナヘッド１３の内側（混合室１１ｃ側）にも続いている。このため、図中に二点鎖線の矢印で示すように、混合室１１ｃから上方に向けて供給される混合ガスは、水平部分に沿って流れの向きが変わり、主炎口１４から略水平方向に噴出する。
【００３７】
これに対して、図６（ｂ）に示した主炎口１４用の炎口溝１３ｄでは、溝上面が主炎口１４側で略水平に形成されているものの、バーナヘッド１３の内側は水平部分が続いておらず、図６（ａ）よりも大きい曲率半径で下方に湾曲した形状になっている。このように図６（ｂ）の水平部分の径方向の長さは図６（ａ）に比べて短く、混合室１１ｃから上方に向けて供給される混合ガスの流れの向きを水平方向に変えるのに十分ではない。このため、二点鎖線の矢印で示すように混合ガスの流れの向きが水平方向に変わりきらず、主炎口１４から水平方向に対して斜め上向きに混合ガスが噴出する。
【００３８】
このように炎口溝１３ｄの溝上面における主炎口１４側の傾斜角度（第１変形例では略水平）が同じであっても、その傾斜角度が同じ部分の径方向の長さを異ならせることで、主炎口１４から噴出する混合ガスの噴出角度を変えることが可能である。そして、第１変形例のコンロバーナ１０では、隣り合う主炎口１４で、炎口溝１３ｄの溝上面に形成された水平部分の径方向の長さを異ならせて、混合ガスの噴出角度を変えることにより、前述した実施例と同様に、炎が形成される位置をバーナヘッド１３の径方向や上下方向に異ならせることができる。その結果、バーナヘッド１３の周方向から二次空気を確保して不完全燃焼の発生を抑制することが可能となる。
【００３９】
また、前述した実施例や上述した第１変形例では、主炎口１４から噴出する混合ガスの噴出角度を異ならせることによって、炎が形成される位置をバーナヘッド１３の径方向や上下方向に異ならせていた。しかし、炎が形成される位置を異ならせる態様はこれに限られず、主炎口１４が開口する位置をバーナヘッド１３の径方向に異ならせてもよい。
【００４０】
図７は、第２変形例のバーナヘッド１３の外周壁１３ａの下面を拡大して示した説明図である。図では、外周壁１３ａの下面にハッチングを付して表している。図示されるように第２変形例のバーナヘッド１３の外周面には、径方向の内側に凹んだ凹部１３ｅが所定の間隔で複数形成されている。そして、この凹部１３ｅに開口する主炎口１４（以下、凹主炎口１４ａ）と、２つの凹部１３ｅの間に開口する主炎口１４（以下、凸主炎口１４ｂ）とが交互に配置されている。尚、第２変形例のバーナヘッド１３では、凹主炎口１４ａ用の炎口溝１３ｄと、凸主炎口１４ｂ用の炎口溝１３ｄとで、溝上面の傾斜角度は同じになっており、凹主炎口１４ａ用の炎口溝１３ｄは、凸主炎口１４ｂ用の炎口溝１３ｄよりもバーナヘッド１３の径方向の長さが短くなっている。
【００４１】
図８は、第２変形例のバーナヘッド１３の周囲に形成される炎を示した斜視図である。尚、図示が煩雑になるのを避けるため、バーナヘッド１３の外周面に開口する複数の主炎口１４（凹主炎口１４ａおよび凸主炎口１４ｂ）のうち一部についてのみ炎を示している。第２変形例のコンロバーナ１０では、バーナヘッド１３の外周面に凹部１３ｅを設けて、バーナヘッド１３の径方向に開口位置が異なる凹主炎口１４ａおよび凸主炎口１４ｂを交互に配置することにより、隣り合う炎が形成される位置をバーナヘッド１３の径方向にずらす（異ならせる）ことができる。その結果、前述した実施例と同様に、バーナヘッド１３の周方向から二次空気を確保して不完全燃焼の発生を抑制することが可能となる。
【００４２】
以上、本実施例および変形例のコンロバーナ１０について説明したが、本発明は上記の実施例および変形例に限られるものではなく、その要旨を逸脱しない範囲において種々の態様で実施することが可能である。
【００４３】
例えば、前述した実施例や変形例では、炎が形成される位置がバーナヘッド１３の径方向や上下方向に異なる２種類の炎が複数の主炎口１４で交互に形成され、１つ置きに同種の炎が形成されていた。しかし、隣り合う主炎口１４同士で、炎が形成される位置（形成される炎の種類）が異なっていれば、必ずしも１つ置きに同種である必要はなく、炎が形成される位置に３種類以上の違いを設けてもよい。
【００４４】
また、前述した実施例や第１変形例では、主炎口１４から噴出する混合ガスの噴出角度や噴出速度を異ならせ、前述した第２変形例では、主炎口１４が開口する位置をバーナヘッド１３の径方向に異ならせることによって、炎が形成される位置をバーナヘッド１３の径方向や上下方向に異ならせていた。しかし、主炎口１４から噴出する混合ガスの噴出角度や噴出速度を異ならせるとともに、主炎口１４が開口する位置をバーナヘッド１３の径方向に異ならせてもよい。こうすることにより、隣り合う主炎口１４同士で、炎が形成される位置の隔たりが更に大きくなるので、バーナヘッド１３の周方向からの二次空気の供給を増やすことができる。
【００４５】
また、前述した実施例や変形例では、バーナボディ１１の上面が均一であって、バーナヘッド１３の下面に複数の炎口溝１３ｄが形成されていた。しかし、これとは逆に、バーナヘッド１３の下面を均一として、バーナボディ１１の上面に複数の炎口溝を形成しておき、バーナヘッド１３をバーナボディ１１に載置することで、バーナボディ１１の外周面に複数の主炎口１４を形成してもよい。この場合、バーナボディ１１の炎口溝の溝底面（バーナボディ１１の炎口溝とバーナヘッド１３の下面で囲まれた連通路の底面）の傾斜角度を変えることによって、混合ガスが通過する連通路を内側（混合室１１ｃ側）から外側（主炎口１４側）に向けて狭くして混合ガスの噴出速度を速くしたり、連通路を内側から外側に向けて広くして混合ガスの噴出速度を遅くしたりすることができる。そして、隣り合う主炎口１４で、混合ガスの噴出速度を異ならせれば、炎が形成される位置にバーナヘッド１３の径方向や上下方向の変化を付けることができる。
【符号の説明】
【００４６】
１…ガスコンロ、            ２…天板、                ３…貫通孔、
４…五徳、                  １０…コンロバーナ、      １１…バーナボディ、
１１ａ…外面板、            １１ｂ…内面板、          １１ｃ…混合室、
１２…混合管、              １３…バーナヘッド、      １３ａ…外周壁、
１３ｂ…嵌合筒、            １３ｃ…供給通路、        １３ｄ…炎口溝、
１３ｅ…凹部、              １４…主炎口、            １５…保炎口、
１６…バーナカバー、        １７…温度センサ、        １８…支持ポール。
【図１】
0006555997.tif 000002
【図２】
0006555997.tif 000003
【図３】
0006555997.tif 000004
【図４】
0006555997.tif 000005
【図５】
0006555997.tif 000006
【図６】
0006555997.tif 000007
【図７】
0006555997.tif 000008
【図８】
0006555997.tif 000009